(57)【要約】【課題】簡単な構成で、優れた防風性能を得つつフェンスに掛かる風荷重を低減することが可能な防風フェンスを提供する。【解決手段】防風フェンス１０は、複数のフェンスユニット１２により構成される。各フェンスユニット１２は当該フェンスユニット１２に対して垂直な方向に風を通過させる導風路１６を備え、複数のフェンスユニット１２は、各フェンスユニット１２の導風路１６の導風方向が交互に反対向きに傾斜するようにジグザグ状に連結されている。【選択図】  図２
2005307431.tif 000002
【特許請求の範囲】
【請求項１】
複数のフェンスユニットを連結してなる防風フェンスであって、各フェンスユニットはその表裏を貫通して風を導く導風路を備え、前記複数のフェンスユニットは、前記導風路の導風方向が交互に反対向きに傾斜するようジグザグ状に連結されていることを特徴とする防風フェンス。
【請求項２】
前記複数のフェンスユニットは、前記導風方向の水平面内での傾斜が交互に反対向きとなるように連結されていることを特徴とする請求項１記載の防風フェンス。
【請求項３】
前記複数のフェンスユニットは、前記導風方向の鉛直面内での傾斜が交互に反対向きとなるように連結されていることを特徴とする請求項１記載の防風フェンス。
【請求項４】
前記導風ユニットは、間隔を隔てて配置された複数の導風部材を備え、これら導風部材の間に前記導風路が形成されていることを特徴とする請求項１〜３のうち何れか１項記載の防風フェンス。
【発明の詳細な説明】
【技術分野】
【０００１】
本発明は、道路橋や鉄道橋などに設置され、道路や線路等に吹き込む風を低減するための防風フェンスに関する。
【背景技術】
【０００２】
例えば、道路橋や鉄道橋など強風に晒されやすい箇所には、通行する列車や車両の安全性を確保するため防風フェンスが設けられる。このような防風フェンスとして、例えば特許文献１に記載されるように金網パネルで構成したものや、特許文献２に記載されるように、風の流れを上方に誘導する導流板を備えたものなどが知られている。
【特許文献１】特開平５−７１１０７号公報
【特許文献２】特開２０００−３４５５１８号公報
【発明の開示】
【発明が解決しようとする課題】
【０００３】
特許文献１に記載される金網パネル製の防風フェンスでは、遮蔽率が大きいほど防風性能が向上する反面、防風フェンスに掛かる風荷重が増大する。そして、防風フェンスに掛かる風荷重が増大すると、フェンスを高剛性の部材で構成したり、高い強度で固定したりすることが必要となり、設置コストが嵩んでしまう。また、防風フェンスを橋に取り付ける場合には、風荷重の増大に伴って橋に掛かる力も大きくなるため橋桁や橋脚への影響を考慮することも必要となる。このように、金網パネル製の防風フェンスでは、遮蔽率を大きくして防風性能を高めようとすると、風荷重の増大による不都合が生じてしまうため、防風性能の向上と、風荷重の低減とを両立させることが難しい。
【０００４】
また、特許文献２に記載される導流板を備えた防風フェンスでは、風の向きを適切に変えるべく導流板を斜めに所定角度で取り付けねばならない。そのため、構造が複雑になってコスト高となってしまう。
【０００５】
本発明は上記の点に鑑みてなされたものであり、簡単な構成で、優れた防風性能と風荷重の低減とを両立させることが可能な防風フェンスを提供することを目的とする。
【課題を解決するための手段】
【０００６】
上記の目的を達成するため、本発明は、複数のフェンスユニットを連結してなる防風フェンスであって、各フェンスユニットはその表裏を貫通して風を導く導風路を備え、前記複数のフェンスユニットは、前記導風路の導風方向が交互に反対向きに傾斜するようジグザグ状に連結されていることを特徴とする。
【０００７】
本発明によれば、複数のフェンスユニットが、各フェンスユニットの導風路の導風方向が交互に反対向きに傾斜するよう連結されるので、フェンスユニットを通過した風は、隣接するフェンスユニット間で反対向きの成分を有することになる。この反対向きの風向き成分が互いに相殺することにより、風が低減される。このように、本発明では、防風フェンスを通過する風の向きを変化させて逆向き成分を相殺させることにより風を低減するので、風を遮ることのみで風を低減させる場合に比べて、防風フェンスに掛かる風荷重を抑えながら優れた防風効果を得ることができる。そして、かかる性能を、導風路を有するフェンスユニットを連結した簡単な構成で得ることができる。
【０００８】
この防風フェンスにおいて、前記複数のフェンスユニットは、前記導風方向の水平面内での傾斜が交互に反対向きとなるように連結されていてもよいし、前記導風方向の鉛直面内での傾斜が交互に反対向きとなるように連結されていてもよい。
【０００９】
また前記導風ユニットは、間隔を隔てて配置された複数の導風部材を備え、これら導風部材の間に前記導風路が形成されることとしてもよい。
【発明の効果】
【００１０】
本発明によれば、簡単な構成で、優れた防風性能と風荷重の低減とを両立させることが可能な防風フェンスを提供できる。
【発明を実施するための最良の形態】
【００１１】
図１は、本発明の一実施形態である防風フェンス１０が設置された例えば道路橋や鉄道橋等の橋１の斜視図である。同図に示すように、防風フェンス１０は橋１の両側に沿って設けられており、橋１の外側から道路や線路へ吹き込む風を低減させることにより、橋１を通行する車両や列車の安全性を確保する役割を有する。
【００１２】
図２は、防風フェンス１０を拡大して示す斜視図である。同図に示すように、防風フェンス１０は、複数のフェンスユニット１２が、橋１の軸方向（道路あるいは線路が水平に延びる方向）に対して交互に角度が変化するジグザグ状に連結されて構成されている。各フェンスユニット１２は、鉛直向きの複数の導風板１４を備えている。導風板１４の上端部及び下端部は、夫々、支持板１８で連結されている。複数の導風板１４は、隣接する導風板１４の間に導風路１６が形成されるように互いに略平行に配置されており、この導風路１６は、フェンスユニット１２に対して垂直な方向に風を導く。したがって、上記のようにフェンスユニット１２がジグザグ状に連結されることにより、各フェンスユニット１２の導風方向の、橋１の軸方向に対する傾斜方向が交互に反転することとなる。なお、また、導風板１４及び支持板１８は、アルミニウム、鉄鋼、ＦＲＰなどの強化樹脂、その他適宜な材料で構成される。
【００１３】
図３は、同図中矢印Ａの向きに吹いた風が防風フェンス１０を通過する風の流れを模式的に示す平面図である。なお、図３中下側が橋１の内側（道路あるいは線路側）に対応している。同図に示すように、フェンスユニット１２の水平面内の傾きが交互に反転することで、導風路１６を通過する風の向きの傾斜も交互に反転する。したがって、隣接するフェンスユニット１２を通過した風の向きは互いに逆向きの水平方向成分を有することとなる。このため、図３に矢印Ｂで示すように、水平方向に互いにぶつかり合う向きの風がそれらの水平成分を相殺し合うことにより、風の水平方向成分が低減される。また、防風フェンス１０に垂直な方向（図３中上下方向）の成分も、風向きが防風フェンス１０に対して傾斜することで、その傾斜角度分だけ低減される。したがって、相殺した水平成分に相当する分だけ防風フェンス１０を通過する風が低減されることになる。
【００１４】
以上説明したように、本実施形態の防風フェンス１０によれば、傾斜の向きを交互に反転させてジグザグ状に配置したフェンスユニット１２で風の向きを変化させることにより水平方向逆向きの風向き成分を生じさせ、それらを互いに相殺させることにより、防風フェンス１０を通過して道路あるいは線路へ吹き込む風を低減することができる。すなわち、防風フェンス１０によって風を遮るのではなく、風向きを変えることにより風を低減しているので、防風フェンス１０に掛かる風荷重を抑えつつ、優れた防風効果を得ることができる。したがって、本実施形態の防風フェンス１０によれば、風荷重が抑えられることによって、防風フェンス１０に要求される剛性や固定強度を緩和できると共に、風荷重が橋１の架構構造や橋脚へ与える影響も軽減することができる。
【００１５】
また、フェンスユニット１２は複数の導風板１４を上下で支持した簡単な構成であり、このフェンスユニット１２を連結するだけで防風フェンス１０を構成できるため、低コスト化を図ることができるうえ、シンプルな外観で見栄えもよい。
【００１６】
図４は、本発明の別の実施形態である防風フェンス１００の鉛直断面図である。同図に示すように、本実施形態では、上記実施形態の防風フェンス１０を９０度回転し、水平方向の導風板１１４を備えるフェンスユニット１１２を、その導風路１１６の鉛直面内の傾斜が交互に反転するように上下に連結した構成としている。この実施形態では、防風フェンス１００の鉛直断面が上記図３に示す構成となり、防風フェンス１００を通過した風の鉛直成分が互いに相殺することで風が低減されることとなる。
【００１７】
なお、上記各実施形態では、導風板１４，１１４が平板状であるものとしたが、これに限らず、任意の断面形状を有する部材を用いることができる。要するに、フェンスユニットの表裏を貫通して風を導く導風路が形成されるように、複数の部材が間隔を隔てて配置される構成であればよい。
【図面の簡単な説明】
【００１８】
【図１】本発明の一実施形態である防風フェンスが設置された橋の斜視図である。
【図２】本実施形態の防風フェンスの斜視図である。
【図３】本実施形態の防風フェンスを構成するフェンスユニットの配置を示す平面図である。
【図４】本発明の防風フェンスの別の実施形態を示す斜視図である。
【符号の説明】
【００１９】
１０，１００  防風フェンス
１２，１１２  フェンスユニット
１４，１１４  導風板
１６，１１６  導風路
１８，１１８  支持板
【図１】
2005307431.tif 000003
【図２】
2005307431.tif 000004
【図３】
2005307431.tif 000005
【図４】
2005307431.tif 000006